(57)【要約】  本発明は、テレビメインボード装置、接続装置、テレビ及びテレビシステムに関する。前記テレビメインボード装置は、少なくとも１つの開口部を有するケースと、前記ケースに収容され、それぞれ各々の開口部を介してケースから露出する第１のインターフェース及び第２のインターフェースを有するテレビメインボードと、を備え、前記第１のインターフェースは、第１の電源電力を受けるために電源に接続可能であり、前記第２のインターフェースは、テレビへマルチメディア信号及び前記第１の電源電力を伝送するとともに、テレビから第２の電源電力を受けるために、テレビに接続可能である。【選択図】図２
2019504581.tif 000002
【特許請求の範囲】
【請求項１】
テレビメインボード装置であって、
少なくとも１つの開口部を有するケースと、
前記ケースに収容され、それぞれ各々の開口部を介してケースから露出する第１のインターフェース及び第２のインターフェースを有するテレビメインボードと、を備え、
前記第１のインターフェースは、第１の電源電力を受けるために電源に接続可能であり、
前記第２のインターフェースは、テレビへマルチメディア信号及び前記第１の電源電力を伝送するとともに、テレビから第２の電源電力を受けるために、テレビに接続可能であるテレビメインボード装置。
【請求項２】
前記第２の電源電力は、テレビにより前記第１の電源電力を変換したものであり、前記テレビメインボード装置への給電に用いられる、請求項１に記載のテレビメインボード装置。
【請求項３】
前記第２のインターフェースには、第１の電源電力を伝送するための端子、第２の電源電力を伝送するための端子、及びマルチメディア信号を伝送するための端子が集積されている、請求項１に記載のテレビメインボード装置。
【請求項４】
前記第２のインターフェースは、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである、請求項１に記載のテレビメインボード装置。
【請求項５】
前記ＨＤＭＩは、１９個より多いピンを有する、請求項４に記載のテレビメインボード装置。
【請求項６】
前記第２のインターフェースは、第１の電源電力を伝送するためのライブライン端子及びニュートラルライン端子を有する、請求項１に記載のテレビメインボード装置。
【請求項７】
接続装置であって、
テレビメインボード装置からテレビに供給されるマルチメディア信号及び第１の電源電力を伝送可能で、かつテレビからテレビメインボード装置に供給される第２の電源電力を伝送可能な接続ケーブルと、
前記接続ケーブルの一端に位置し、テレビメインボード装置に接続可能な第１の接続部と、
前記接続ケーブルの他端に位置し、テレビに接続可能な第２の接続部と、
を備える接続装置。
【請求項８】
前記第２の電源電力は、テレビにより前記第１の電源電力を変換したものであり、前記テレビメインボード装置への給電に用いられる、請求項７に記載の接続装置。
【請求項９】
前記第１の接続部及び前記第２の接続部にはそれぞれ、第１の電源電力を伝送するための端子、第２の電源電力を伝送するための端子、及びマルチメディア信号を伝送するための端子が集積されている、請求項７に記載の接続装置。
【請求項１０】
前記第１の接続部及び前記第２の接続部はそれぞれ、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである、請求項７に記載の接続装置。
【請求項１１】
前記ＨＤＭＩは、１９個より多いピンを有する、請求項１０に記載の接続装置。
【請求項１２】
前記第１の接続部及び前記第２の接続部はそれぞれ、第１の電源電力を伝送するためのライブライン端子及びニュートラルライン端子を有する、請求項７に記載の接続装置。
【請求項１３】
テレビであって、
テレビメインボード装置からのマルチメディア信号を受信して再生するとともに、テレビメインボード装置からの第１の電源電力を受けて電源盤に供給するアダプタ装置と、
第１の電源電力を第２の電源電力に変換して前記アダプタ装置に供給することにより前記アダプタ装置を介してテレビメインボード装置へ出力し、前記第１の電源電力を第３の電源電力に変換してテレビのバックライトシステムに給電する電源盤と、
を備えるテレビ。
【請求項１４】
前記電源盤は、第１の電源電力を第４の電源電力に変換して前記アダプタ装置に給電する、請求項１３に記載のテレビ。
【請求項１５】
タイミングコントローラ（Ｔ−ＣＯＮ）をさらに備え、
前記アダプタ装置は、マルチメディア信号を前記タイミングコントローラに供給する、請求項１３に記載のテレビ。
【請求項１６】
前記アダプタ装置は、インターフェース部を有し、
前記インターフェース部には、第１の電源電力を伝送するための端子、第２の電源電力を伝送するための端子、及びマルチメディア信号を伝送するための端子が集積されている、請求項１３に記載のテレビ。
【請求項１７】
前記インターフェース部は、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである、請求項１６に記載のテレビ。
【請求項１８】
前記ＨＤＭＩは、１９個より多いピンを有する、請求項１７に記載のテレビ。
【請求項１９】
前記インターフェース部は、第１の電源電力を伝送するためのライブライン端子及びニュートラルライン端子を有する、請求項１６に記載のテレビ。
【請求項２０】
テレビメインボード装置と、テレビと、１つの電力線と、１つの接続装置とを備えるテレビシステムであって、
電力線は、電源からテレビメインボード装置に第１の電源電力を伝送するためにテレビメインボード装置を電源に接続可能であり、
接続装置は、テレビメインボード装置からテレビにマルチメディア信号及び前記第１の電源電力を伝送するとともに、テレビからテレビメインボード装置に第２の電源電力を伝送するために、テレビメインボード装置をテレビに接続可能であるテレビシステム。
【請求項２１】
前記テレビメインボード装置は、
少なくとも１つの開口部を有するケースと、
前記ケースに収容され、それぞれ各々の開口部を介してケースから露出する第１のインターフェース及び第２のインターフェースを有するテレビメインボードと、を備え、
前記第１のインターフェースは、前記電力線に接続可能であり、
前記第２のインターフェースは、前記接続装置に接続可能である、請求項２０に記載のテレビシステム。
【請求項２２】
前記第２のインターフェースには、第１の電源電力を伝送するための端子、第２の電源電力を伝送するための端子、及びマルチメディア信号を伝送するための端子が集積されている、請求項２１に記載のテレビシステム。
【請求項２３】
前記第２のインターフェースは、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである、請求項２２に記載のテレビシステム。
【請求項２４】
前記ＨＤＭＩは、１９個より多いピンを有する、請求項２３に記載のテレビシステム。
【請求項２５】
前記第２のインターフェースは、第１の電源電力を伝送するためのライブライン端子及びニュートラルライン端子を有する、請求項２２に記載のテレビシステム。
【請求項２６】
前記接続装置は、
テレビメインボード装置からテレビに供給されるマルチメディア信号及び第１の電源電力を伝送可能で、かつテレビからテレビメインボード装置に供給される第２の電源電力を伝送可能な接続ケーブルと、
前記接続ケーブルの一端に位置し、テレビメインボード装置に接続可能な第１の接続部と、
前記接続ケーブルの他端に位置し、テレビに接続可能な第２の接続部と、を備える、請求項２０に記載のテレビシステム。
【請求項２７】
前記第１の接続部及び前記第２の接続部にはそれぞれ、第１の電源電力を伝送するための端子、第２の電源電力を伝送するための端子、及びマルチメディア信号を伝送するための端子が集積されている、請求項２６に記載のテレビシステム。
【請求項２８】
前記第１の接続部及び前記第２の接続部はそれぞれ、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである、請求項２７に記載のテレビシステム。
【請求項２９】
前記ＨＤＭＩは、１９個より多いピンを有する、請求項２８に記載のテレビシステム。
【請求項３０】
前記第１の接続部及び前記第２の接続部はそれぞれ、第１の電源電力を伝送するためのライブライン端子及びニュートラルライン端子を有する、請求項２７に記載のテレビシステム。
【請求項３１】
前記テレビは、
テレビメインボード装置からのマルチメディア信号を受信して再生するとともに、テレビメインボード装置からの第１の電源電力を受けて電源盤に供給するアダプタ装置と、
第１の電源電力を第２の電源電力に変換して前記アダプタ装置に供給することにより前記アダプタ装置を介してテレビメインボード装置へ出力して前記テレビメインボード装置に給電し、前記第１の電源電力を第３の電源電力に変換してテレビのバックライトシステムに給電する電源盤と、
を備える、請求項２０に記載のテレビシステム。
【請求項３２】
前記電源盤は、第１の電源電力を第４の電源電力に変換して前記アダプタ装置に給電する、請求項３１に記載のテレビシステム。
【請求項３３】
前記テレビは、
タイミングコントローラ（Ｔ−ＣＯＮ）をさらに備え、
前記アダプタ装置は、マルチメディア信号を前記タイミングコントローラに供給する、請求項３１に記載のテレビシステム。
【請求項３４】
前記アダプタ装置は、インターフェース部を有し、前記インターフェース部は接続装置に接続可能で、接続装置を介してテレビメインボード装置に接続し、
前記インターフェース部には、第１の電源電力を伝送するための端子、第２の電源電力を伝送するための端子、及びマルチメディア信号を伝送するための端子が集積されている、請求項３１に記載のテレビシステム。
【請求項３５】
前記インターフェース部は、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである、請求項３４に記載のテレビシステム。
【請求項３６】
前記ＨＤＭＩは、１９個より多いピンを有する、請求項３５に記載のテレビシステム。
【請求項３７】
前記インターフェース部は、第１の電源電力を伝送するためのライブライン端子及びニュートラルライン端子を有する、請求項３４に記載のテレビシステム。
【発明の詳細な説明】
【技術分野】
【０００１】
（関連出願の相互参照）
本願は、２０１６年３月７日に出願された中国特許出願第２０１６１０１２７７１４．８号に基づく優先権を主張するものであり、その内容全体は参照により本明細書に組み込まれる。
【０００２】
本発明は、視聴覚機器の分野に関し、特にテレビメインボード装置、接続装置、テレビ及びテレビシステムに関する。
【背景技術】
【０００３】
従来のテレビメインボードは一般的にテレビの後部ケースに内蔵されている。図１ａは、従来の技術におけるテレビメインボード及びこれとテレビ内の他の関連部との接続関係を示す模式図である。図１ａにおいて、テレビメインボードはテレビの後部ケースに内蔵され、２２０Ｖの電源電力は電力線を介してテレビの電源盤に入力され、電源盤は、電源電力の一部を１２Ｖの直流電力に変換してテレビメインボードに給電し、電源電力の他の一部をライトバーの駆動電圧に変換してバックライトバーに供給することでスクリーンを点灯させる。テレビメインボードは、処理後のマルチメディア信号を出力して、例えばスクリーン表示を制御するタイミングコントローラ（Ｔ−ＣＯＮ）などの後段部に伝送する。
【０００４】
図１ｂは、従来の技術におけるテレビメインボードを内蔵したテレビを示す背面図である。
【０００５】
これから分かるように、従来の技術では、テレビメインボードがテレビの後部ケースに内蔵され、メインボードの外部接続用ポートが多いため、テレビの後部ケースから数多くの周辺機器接続用ケーブルを引き出す必要があり（例えば図１ｂ参照）、外見に影響を与えるだけでなく、周辺機器の取付けや設置も不便である。また、このようなテレビメインボードは取り外しや交換が不便であるため、一旦破損すると、または交換が必要な場合は、テレビ全体を交換することしかできないおそれがある。
【０００６】
これに対して、従来の技術では、テレビメインボードを独立した装置として、テレビケース外に配置する解決策が提案されている。しかし、このようにすると、テレビ及びメインボードに対してそれぞれ給電配線を行う必要があり、またテレビとメインボードを接続する配線も必要になるため、配線が煩雑になり、使用及び取付けが相変わらず不便で、外見も綺麗とはいえない。
【発明の概要】
【発明が解決しようとする課題】
【０００７】
上記に鑑み、本発明は、テレビメインボード装置、接続装置、テレビ及びテレビシステムを提案し、従来の技術における上記した問題に対して、使用及び取付けがより簡便になる解決策を提供する。
【課題を解決するための手段】
【０００８】
本発明の第１の側面によれば、テレビメインボード装置であって、少なくとも１つの開口部を有するケースと、前記ケースに収容され、それぞれ各々の開口部を介してケースから露出する第１のインターフェース及び第２のインターフェースを有するテレビメインボードと、を備え、前記第１のインターフェースは、第１の電源電力を受けるために電源に接続可能であり、前記第２のインターフェースは、テレビへマルチメディア信号及び前記第１の電源電力を伝送するとともに、テレビから第２の電源電力を受けるために、テレビに接続可能であるテレビメインボード装置が提案されている。
【０００９】
第１の側面によれば、第１の可能な実施形態において、前記第２の電源電力は、テレビにより前記第１の電源電力を変換したものであり、前記テレビメインボード装置への給電に用いられる。第１の側面によれば、第２の可能な実施形態において、前記第２のインターフェースには、第１の電源電力を伝送するための端子、第２の電源電力を伝送するための端子、及びマルチメディア信号を伝送するための端子が集積されている。第１の側面によれば、第３の可能な実施形態において、前記第２のインターフェースは、高精細度マルチメディアインターフェース（ＨＤＭＩ（登録商標））を有し、前記ＨＤＭＩのピンの一部は、高精細度マルチメディア信号を伝送するためのもので、他の一部は、第２の電源電力を伝送するためのものである。
【００１０】
第１の側面における第３の可能な実施形態によれば、第４の可能な実施形態において、前記ＨＤＭＩは、１９個より多いピンを有する。
【００１１】
第１の側面によれば、第５の可能な実施形態において、前記第２のインターフェースは、第１の電源電力を伝送するためのライブライン端子及びニュートラルライン端子を有する。
【００１２】
本発明の第２の側面によれば、接続装置であって、テレビメインボード装置からテレビに供給されるマルチメディア信号及び第１の電源電力を伝送可能で、かつテレビからテレビメインボード装置に供給される第２の電源電力を伝送可能な接続ケーブルと、前記接続ケーブルの一端に位置し、テレビメインボード装置に接続可能な第１の接続部と、前記接続ケーブルの他端に位置し、テレビに接続可能な第２の接続部と、を備える接続装置が提案されている。
【００１３】
第２の側面によれば、第１の可能な実施形態において、前記第２の電源電力は、テレビにより前記第１の電源電力を変換したものであり、前記テレビメインボード装置への給電に用いられる。
【００１４】
第２の側面によれば、第２の可能な実施形態において、前記第１の接続部及び前記第２の接続部にはそれぞれ、第１の電源電力を伝送するための端子、第２の電源電力を伝送するための端子、及びマルチメディア信号を伝送するための端子が集積されている。
【００１５】
第２の側面によれば、第３の可能な実施形態において、前記第１の接続部及び前記第２の接続部はそれぞれ、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである。
【００１６】
第２の側面における第３の可能な実施形態によれば、第４の可能な実施形態において、前記ＨＤＭＩは、１９個より多いピンを有する。
【００１７】
第２の側面によれば、第５の可能な実施形態において、前記第１の接続部及び前記第２の接続部はそれぞれ、第１の電源電力を伝送するためのライブライン端子及びニュートラルライン端子を有する。
【００１８】
本発明の第３の側面によれば、テレビであって、テレビメインボード装置からのマルチメディア信号を受信して再生するとともに、テレビメインボード装置からの第１の電源電力を受けて電源盤に供給するアダプタ装置と、第１の電源電力を第２の電源電力に変換して前記アダプタ装置に供給することにより前記アダプタ装置を介してテレビメインボード装置へ出力し、前記第１の電源電力を第３の電源電力に変換してテレビのバックライトシステムに給電する電源盤と、を備えるテレビが提案されている。
【００１９】
第３の側面によれば、第１の可能な実施形態において、前記電源盤は、第１の電源電力を第４の電源電力に変換して前記アダプタ装置に給電する。
【００２０】
第３の側面によれば、第２の可能な実施形態において、前記テレビは、タイミングコントローラ（Ｔ−ＣＯＮ）をさらに備え、前記アダプタ装置は、マルチメディア信号を前記タイミングコントローラに供給する。
【００２１】
第３の側面によれば、第３の可能な実施形態において、前記アダプタ装置は、インターフェース部を有し、前記インターフェース部には、第１の電源電力を伝送するための端子、第２の電源電力を伝送するための端子、及びマルチメディア信号を伝送するための端子が集積されている。
【００２２】
第３の側面における第３の可能な実施形態によれば、第４の可能な実施形態において、前記インターフェース部は、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである。
【００２３】
第３の側面における第４の可能な実施形態によれば、第５の可能な実施形態において、前記ＨＤＭＩは、１９個より多いピンを有する。
【００２４】
第３の側面における第３の可能な実施形態によれば、第６の可能な実施形態において、前記インターフェース部は、第１の電源電力を伝送するためのライブライン端子及びニュートラルライン端子を有する。
【００２５】
本発明の第４の側面によれば、テレビメインボード装置と、テレビと、電力線と、接続装置とを備えるテレビシステムであって、電力線は、電源からテレビメインボード装置に第１の電源電力を伝送するためにテレビメインボード装置を電源に接続可能であり、接続装置は、テレビメインボード装置からテレビにマルチメディア信号及び前記第１の電源電力を伝送するとともに、テレビからテレビメインボード装置に第２の電源電力を伝送するために、テレビメインボード装置をテレビに接続可能であるテレビシステムが提案されている。第４の側面によれば、第１の可能な実施形態において、前記テレビメインボード装置は、少なくとも１つの開口部を有するケースと、前記ケースに収容され、それぞれ各々の開口部を介してケースから露出する第１のインターフェース及び第２のインターフェースを有するテレビメインボードと、を備え、前記第１のインターフェースは、前記電力線に接続可能であり、前記第２のインターフェースは、前記接続装置に接続可能である。
【００２６】
第４の側面における第１の可能な実施形態によれば、第２の可能な実施形態において、前記第２のインターフェースには、第１の電源電力を伝送するための端子、第２の電源電力を伝送するための端子、及びマルチメディア信号を伝送するための端子が集積されている。
【００２７】
第４の側面における第１の可能な実施形態によれば、第３の可能な実施形態において、前記第２のインターフェースは、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである。
【００２８】
第４の側面における第３の可能な実施形態によれば、第４の可能な実施形態において、前記ＨＤＭＩは、１９個より多いピンを有する。
【００２９】
第４の側面における第１の可能な実施形態によれば、第５の可能な実施形態において、前記第２のインターフェースは、第１の電源電力を伝送するためのライブライン端子及びニュートラルライン端子を有する。
【００３０】
第４の側面によれば、第６の可能な実施形態において、前記接続装置は、テレビメインボード装置からテレビに供給されるマルチメディア信号及び第１の電源電力を伝送可能で、かつテレビからテレビメインボード装置に供給される第２の電源電力を伝送可能な接続ケーブルと、前記接続ケーブルの一端に位置し、テレビメインボード装置に接続可能な第１の接続部と、前記接続ケーブルの他端に位置し、テレビに接続可能な第２の接続部と、を備える。
【００３１】
第４の側面における第６の可能な実施形態によれば、第７の可能な実施形態において、前記第１の接続部及び前記第２の接続部にはそれぞれ、第１の電源電力を伝送するための端子、第２の電源電力を伝送するための端子、及びマルチメディア信号を伝送するための端子が集積されている。
【００３２】
第４の側面における第６の可能な実施形態によれば、第８の可能な実施形態において、前記第１の接続部及び前記第２の接続部はそれぞれ、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである。
【００３３】
第４の側面における第８の可能な実施形態によれば、第９の可能な実施形態において、前記ＨＤＭＩは、１９個より多いピンを有する。
【００３４】
第４の側面における第６の可能な実施形態によれば、第１０の可能な実施形態において、前記第１の接続部及び前記第２の接続部はそれぞれ、第１の電源電力を伝送するためのライブライン端子及びニュートラルライン端子を有する。
【００３５】
第４の側面によれば、第１１の可能な実施形態において、前記テレビは、テレビメインボード装置からのマルチメディア信号を受信して再生するとともに、テレビメインボード装置からの第１の電源電力を受けて電源盤に供給するアダプタ装置と、第１の電源電力を第２の電源電力に変換して前記アダプタ装置に供給することにより前記アダプタ装置を介してテレビメインボード装置へ出力して前記テレビメインボード装置に給電し、前記第１の電源電力を第３の電源電力に変換してテレビのバックライトシステムに給電する電源盤と、を備える。
【００３６】
第４の側面における第１１の可能な実施形態によれば、第１２の可能な実施形態において、前記電源盤は、第１の電源電力を第４の電源電力に変換して前記アダプタ装置に給電する。
【００３７】
第４の側面における第１１の可能な実施形態によれば、第１３の可能な実施形態において、前記テレビは、タイミングコントローラ（Ｔ−ＣＯＮ）をさらに備え、前記アダプタ装置は、マルチメディア信号を前記タイミングコントローラに供給する。
【００３８】
第４の側面における第１１の可能な実施形態によれば、第１４の可能な実施形態において、前記アダプタ装置は、インターフェース部を有し、前記インターフェース部は接続装置に接続可能で、接続装置を介してテレビメインボード装置に接続し、前記インターフェース部には、第１の電源電力を伝送するための端子、第２の電源電力を伝送するための端子、及びマルチメディア信号を伝送するための端子が集積されている。
【００３９】
第４の側面における第１４の可能な実施形態によれば、第１５の可能な実施形態において、前記インターフェース部は、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものである。
【００４０】
第４の側面における第１５の可能な実施形態によれば、第１６の可能な実施形態において、前記ＨＤＭＩは、１９個より多いピンを有する。
【００４１】
第４の側面における第１４の可能な実施形態によれば、第１７の可能な実施形態において、前記インターフェース部は、第１の電源電力を伝送するためのライブライン端子及びニュートラルライン端子を有する。
【発明の効果】
【００４２】
本発明の各側面において、テレビメインボードを独立した装置として、テレビとは別体に配置することにより、テレビから外部接続用ケーブルを多く引き出す必要がなく、またテレビメインボードのメンテナンス及び交換が容易になる。また、本発明の各側面において、テレビ及びメインボードに対してそれぞれ給電配線を行う必要がなく、使用する際にテレビメインボード装置を電源に接続し、テレビをテレビメインボード装置に接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【００４３】
本発明の他の特徴や側面は、以下、図面を参照して例示的実施例を詳しく説明することにより明らかになるだろう。
【図面の簡単な説明】
【００４４】
明細書に含まれて明細書の一部をなす図面は、明細書とともに本発明の例示的実施例、特徴及び側面を示し、本発明の原理を解釈するものである。
【図１ａ】図１ａは、従来の技術におけるテレビメインボード及びこれとテレビ内の他の関連部との接続関係を示す模式図である。
【図１ｂ】図１ｂは、従来の技術におけるテレビメインボードを内蔵したテレビを示す背面図である。
【図２】図２は、本発明の一実施例によるテレビメインボード装置を示す構成模式図である。
【図３ａ】図３ａは、第２のインターフェースの例を示す構成模式図である。
【図３ｂ】図３ｂは、第２のインターフェースの例を示す構成模式図である。
【図３ｃ】図３ｃは、第２のインターフェースの例を示す構成模式図である。
【図３ｄ】図３ｄは、第２のインターフェースの例を示す構成模式図である。
【図４】図４は、本発明の一実施例による接続装置を示す構成模式図である。
【図５】図５は、一つの例による接続ケーブルの横断面を示す構成模式図である。
【図６】図６は、本発明の一実施例によるテレビを示す構成模式図である。
【図７】図７は、本発明の一実施例によるテレビシステムを示す構成模式図である。
【発明を実施するための形態】
【００４５】
以下、図面を参照しながら本発明の種々の例示的実施例、特徴及び側面を詳細に説明する。図面における同じ符号は、同一又は類似する機能を有する素子を示す。図面には実施例の種々の側面が示されているが、特記されていない限り、その比例どおりに図面を描く必要はない。
【００４６】
ここでの「例示的」という専用語は、「例、実施例として用いられるか、または説明のためのものである」ことを意味する。ここで「例示的」に説明した実施例はいずれも他の実施例よりも好ましいか、または良いと解釈する必要はない。
【００４７】
また、本発明をより良く説明するために、以下の具体的な実施形態において具体的な細部を多く記載した。本発明は、何らかの具体的な細部が無くとも同様に実施できることは、当業者が理解すべきことである。本発明の主旨を際立たせるために、一部の実施例では、当業者に良く知られている方法、手段、素子、および回路について詳細に記述しない。
【００４８】
実施例１
図２は、本発明の一実施例によるテレビメインボード装置２００を示す構成模式図である。図１に示すように、このテレビメインボード装置２００は主に、少なくとも１つの開口部２０１１、２０１２を有するケース２０１を備える。このテレビメインボード装置２００は、ケース２０１に収容され、それぞれ各々の開口部２０１１及び２０１２を介してケース２０１から露出する第１のインターフェース２０２１及び第２のインターフェース２０２２を有するテレビメインボード２０２をさらに備える。第１のインターフェース２０２１は、第１の電源電力を受けるために電源に接続可能であり、第２のインターフェース２０２２は、テレビへマルチメディア信号及び前記第１の電源電力を伝送するとともに、テレビから第２の電源電力を受けるために、テレビに接続可能である。
【００４９】
この実施例では、テレビメインボードを独立した装置として、テレビとは別体に配置することにより、テレビから外部接続用ケーブルを多く引き出す必要がなく、またテレビメインボードのメンテナンス及び交換が容易になる。また、この実施例では、テレビ及びメインボードに対してそれぞれ給電配線を行う必要がなく、テレビメインボード装置は第２のインターフェースを介してテレビに第１の電源電力を供給することによりテレビに給電することができるとともに、第２のインターフェースを介してテレビから第２の電源電力を受けてテレビメインボード装置に給電することができる。このようにして、使用する際に第１のインターフェースを電源に接続し、第２のインターフェースをテレビに接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【００５０】
一つの例において、ケース２０１は直方体、立方体などの任意の必要な形状としてもよく、本発明では特に限定しない。開口部は主に、ケース内部のインターフェース（例えば電源インターフェース、オーディオ・ビデオインターフェース、ケーブルテレビインターフェース、ＵＳＢインターフェース等）をケースから露出させ、また、ボタン、リモコン信号受信部、表示部等の各部を収容するためのものである。開口部の用途、形状、数、位置等は実際の必要に応じて配置することができ、本発明では特に限定しない。
【００５１】
一つの例において、第１のインターフェース２０２１を収容する開口部２０１１及び第２のインターフェース２０２２を収容する開口部２０１２は、ケース２０１の同一側面に位置してもよい。ただし、開口部２０１１及び２０１２は、ケースの他の部位（例えばケースの対向する２つの側面）に位置してもよく、本発明では特に限定しない。
【００５２】
第１のインターフェース２０２１は、第１の電源電力を受けるために電源に接続可能である。一つの例において、第１の電源電力は、２２０Ｖの交流電力であってもよい。
【００５３】
第２のインターフェース２０２２は、テレビへマルチメディア信号及び第１の電源電力を伝送するとともに、テレビから第２の電源電力を受けるために、テレビに接続可能である。一つの例において、マルチメディア信号は、外部から入力された、又はテレビメインボード装置に内蔵されたオーディオ、ビデオ、テキスト等の種々の信号がテレビメインボードにより変換されたマルチメディア信号、例えば高精細度マルチメディアインターフェース（ＨＤＭＩ）信号であってもよい。
【００５４】
一つの例において、第２の電源電力は、テレビにより第１の電源電力を変換したもの、例えば２２０Ｖの交流電力をＡＣ−ＤＣ（交流から直流へ）変換して得られる直流電力であってもよい。第２の電源電力は、テレビメインボード装置への給電に用いることができる。第２の電源電力の電圧値は、テレビメインボード装置への給電の必要に応じて任意に（例えば５Ｖに）設定することができる。
【００５５】
一つの例において、第２のインターフェース２０２２には、第１の電源電力を伝送するための端子、第２の電源電力を伝送するための端子、及びマルチメディア信号を伝送するための端子が集積されていてもよい。このような集積化した配置により、テレビメインボード装置とテレビとの間は１本の接続ケーブルのみで、テレビメインボード装置及びテレビへの給電、およびマルチメディア信号の伝送を実現することができ、システム全体の外見が綺麗になるとともに、取付け及び使用が便利になる。
【００５６】
一つの例において、第２のインターフェースは、高精細度マルチメディアインターフェース（ＨＤＭＩ）を有してもよい。ＨＤＭＩは例えば、１９個より多いピン（ＰＩＮともいう）を有してもよく、例えば２９個又は３０個のピンを有するのが好ましい。ピンの一部（例えば１３個、又は必要に応じる他の任意の個数のピン）はＨＤＭＩ信号を伝送するためのもので、他の一部（例えば６個、又は必要に応じる他の任意の個数のピン）は第２の電源電力（例えば５Ｖの直流電源電力）を伝送するためのものとするのが好ましい。さらに、制御信号等の他の必要な信号を伝送するためのピンを有してもよい。
【００５７】
第２のインターフェースの各端子は必要に応じて、任意の輪郭形状の配列で配置することができる。
【００５８】
第２のインターフェース２０２２は、第１の電源電力（例えば２２０Ｖの電源電力）を伝送するためのライブライン端子及びニュートラルライン端子をさらに有してもよい。
【００５９】
ＨＤＭＩ、ライブライン端子及びニュートラルライン端子の具体的な形状、相互の位置関係及び第２のインターフェースの外輪郭の形状等は、当業者が実際の必要に応じて設定することができる。
【００６０】
図３ａ〜図３ｄは、第２のインターフェース２０２２のいくつかの例を示す構成模式図である。図３ａにおいて、ライブライン端子３０２及びニュートラルライン端子３０３はそれぞれＨＤＭＩ３０１の両側に位置する。図３ｂにおいて、ライブライン端子３０２及びニュートラルライン端子３０３はそれぞれＨＤＭＩ３０１の上方及び下方に位置する。図３ｃにおいて、ライブライン端子３０２及びニュートラルライン端子３０３はいずれもＨＤＭＩ３０１の下方（又は上方）に位置する。図３ｄにおいて、ライブライン端子３０２及びニュートラルライン端子３０３の一方は、ＨＤＭＩ３０１の上方（又は下方）に位置し、他方は、ＨＤＭＩ３０１の左側（又は右側）に位置する。また、図示されていないが、ライブライン端子３０２及びニュートラルライン端子３０３はいずれもＨＤＭＩ３０１の左側又は右側に位置してもよい。図３ａ〜図３ｄに示す例は、第２のインターフェース２０２２の例に過ぎず、第２のインターフェースの具体的な構造は、当業者が実際の必要に応じて設計することができ、テレビへマルチメディア信号及び第１の電源電力を伝送するとともにテレビから第２の電源電力を受けることができるものであればよいことは、当業者には理解されるであろう。
【００６１】
実施例２
図４は、本発明の一実施例による接続装置を示す構成模式図である。図４に示すように、この接続装置４００は、テレビメインボード装置からテレビに供給されるマルチメディア信号及び第１の電源電力を伝送可能で、かつテレビからテレビメインボード装置に供給される第２の電源電力を伝送可能な接続ケーブル４０１を備える。この接続装置４００は、前記接続ケーブルの一端に位置し、テレビメインボード装置に接続可能な第１の接続部４０２と、前記接続ケーブルの他端に位置し、テレビに接続可能な第２の接続部４０３とをさらに備える。
【００６２】
この実施例による接続装置は、マルチメディア信号、第１の電源電力及び第２の電源電力の伝送を統合し、見かけ上の１本の接続ケーブルによって、テレビ及びテレビメインボード装置への給電、およびマルチメディア信号の伝送を実現することができ、システムの複雑性が大幅に削減され、全体の外見が綺麗になるとともに、使用及び取付けが便利になる。
【００６３】
第１の電源電力、第２の電源電力及びマルチメディア信号についての説明は、実施例１を参照してよい。ここでは、簡潔のために省略する。
【００６４】
一つの例において、第１の接続部４０２は、実施例１におけるテレビメインボード装置の第２のインターフェース２０２２に適合させて接続してもよい。
【００６５】
一つの例において、第１の接続部４０２及び第２の接続部４０３にはそれぞれ、第１の電源電力を伝送するための端子、第２の電源電力を伝送するための端子、及びマルチメディア信号を伝送するための端子が集積されていてもよい。これに対応して、接続ケーブル４０１は、第１の電源電力を伝送するための接続線、第２の電源電力を伝送するための接続線、及びマルチメディア信号を伝送するための接続線を備えてもよい。
【００６６】
図５は、１つの例による接続ケーブル４０１の横断面を示す構成模式図である。この例において、接続ケーブルは、マルチメディア信号及び第２の電源電力を伝送するためのＨＤＭＩ伝送線群５０１と、第１の電源電力を伝送するためのライブライン５０２及びニュートラルライン５０３とを有してもよい。ライブライン及びニュートラルラインは、シールド部５０４で取り囲まれてもよい。
【００６７】
図５に示すものは、接続ケーブルの１つの例に過ぎず、接続ケーブルの具体的な構造は、当業者が実際の必要に応じて設定することができ、マルチメディア信号、第１及び第２の電源電力を伝送することができるものであればよいことは、当業者には理解されるであろう。
【００６８】
第１の接続部４０２は、前記第２のインターフェースに適合させて接続してもよい。第１の接続部４０２は、高精細度マルチメディアインターフェース（ＨＤＭＩ）を有してもよい。ＨＤＭＩは例えば、１９個より多いピンを有してもよく、例えば２９個又は３０個のピンを有するのが好ましい。ピンの一部（例えば１３個、又は必要に応じる他の任意の個数のピン）はＨＤＭＩ信号を伝送するためのもので、他の一部（例えば６個、又は必要に応じる他の任意の個数のピン）は第２の電源電力（例えば５Ｖの直流電源電力）を伝送するためのものとするのが好ましい。さらに、制御信号等の他の必要な信号を伝送するためのピンを有してもよい。
【００６９】
第１の接続部４０２の各端子は必要に応じて、任意の輪郭形状の配列で配置することができる。
【００７０】
第１の接続部４０２は、第１の電源電力（例えば２２０Ｖの電源電力）を伝送するためのライブライン端子及びニュートラルライン端子をさらに有してもよい。
【００７１】
第１の接続部の具体的な構造は、当業者が実際の必要に応じて設計することができることは、当業者には理解されるであろう。
【００７２】
例えば、第１の接続部は、図３ａ〜図３ｄに示すものと類似する構造を有してもよく、テレビメインボード装置の対応するインターフェースに適合させて接続することができるものであればよい。
【００７３】
同様に、第２の接続部４０３は、第１の接続部４０２と類似して設計されてもよい。あるいは、当業者は実際の必要に応じて第２の接続部４０３を設計することができる。第２の接続部４０３の構造は、第１の接続部４０２と同じでもよいし、異なってもよく、テレビの対応するインターフェースに適合させて接続することができるものであればよい。
【００７４】
接続ケーブル４０１における各伝送線は、第１の接続部４０２及び第２の接続部４０３における各端子に対応して設けられ、電気的に接続されてもよい。
【００７５】
実施例３
図６は、本発明の一実施例によるテレビを示す構成模式図である。図６に示すように、このテレビは、テレビメインボード装置からのマルチメディア信号を受信して再生するとともに、テレビメインボード装置からの第１の電源電力を受けて電源盤６０２に供給するアダプタ装置６０１を備える。このテレビは電源盤６０２をさらに備え、前記電源盤６０２は、第１の電源電力を第２の電源電力に変換して前記アダプタ装置６０１に供給することにより前記アダプタ装置６０１を介してテレビメインボード装置へ出力し、前記第１の電源電力を第３の電源電力に変換してテレビのバックライトシステムに給電する。
【００７６】
この実施例のテレビには、テレビメインボードが内蔵されていない。その一方、テレビメインボード装置はテレビとは別体に配置されることで、テレビから外部接続用ケーブルを多く引き出す必要がなく、テレビメインボードのメンテナンス及び交換が容易になる。また、この実施例において、アダプタ装置によって、テレビ及びテレビメインボード装置への給電およびマルチメディア信号の伝送を実現することができる。このようにして、使用する際にテレビにテレビメインボード装置を接続すればよく、余計な電力線を必要としないので、システムの複雑性が大幅に削減され、全体の外見が綺麗になるとともに、使用及び取付けが便利になる。
【００７７】
第１の電源電力、第２の電源電力及びマルチメディア信号についての説明は、実施例１を参照してよい。ここでは、簡潔のために省略する。
【００７８】
一つの例において、電源盤６０２は、第１の電源電力を第４の電源電力に変換して前記アダプタ装置に給電してもよい。第４の電源電力は、例えば２２０Ｖの交流電力（第１の電源電力）をＡＣ−ＤＣ変換して得ることができる。第４の電源電力の電圧値は、アダプタ装置への給電の必要に応じて任意に（例えば１２Ｖに）設定することができる。
【００７９】
一つの例において、電源盤６０２は、第１の電源電力を第２の電源電力又は第４の電源電力に変換するためにＡＣ−ＤＣ変換器を備えてもよい。
【００８０】
一つの例において、テレビのバックライトシステムは、バックライトバーであってもよい。この場合、第３の電源電力は、バックライトバーの駆動電圧であってもよい。当業者は実際の適用場面に応じて、第３の電源電力の電圧値を設定することができる。
【００８１】
一つの例において、このテレビは、タイミングコントローラ（Ｔ−ＣＯＮ）をさらに備えてもよい。アダプタ装置は、表示を行うようにディスプレイを駆動するためにマルチメディア信号（例えばビデオ信号）を前記タイミングコントローラに供給することができる。例えば、アダプタ装置は、マルチメディア信号をタイミングコントローラに供給するために、ＶＢＯ（Ｖ−ｂｙ−Ｏｎｅ、信号伝送インターフェース規格）又は５１Ｐｉｎ  ＬＶＤＳ（Ｌｏｗ−Ｖｏｌｔａｇｅ  Ｄｉｆｆｅｒｅｎｔｉａｌ  Ｓｉｇｎａｌｉｎｇ、低電圧差動信号）インターフェースを有してもよい。
【００８２】
一つの例において、アダプタ装置６０１は、インターフェース部をさらに有してもよい。このインターフェース部は、実施例２における接続装置の第２の接続部４０３に適合させて接続してもよい。このインターフェース部には、第１の電源電力を伝送するための端子、第２の電源電力を伝送するための端子、及びマルチメディア信号を伝送するための端子が集積されていてもよい。
【００８３】
一つの例において、インターフェース部は、上記の接続装置の第２の接続部４０３に適合させて接続してもよい。上記の内容を参照すれば、インターフェース部の端面構造は、図３ａ〜図３ｄに示す端面構造と類似してもよい。インターフェース部は、高精細度マルチメディアインターフェース（ＨＤＭＩ）を有してもよい。ＨＤＭＩは例えば、１９個より多いピン（ＰＩＮともいう）を有してもよく、例えば２９個又は３０個のピンを有するのが好ましい。ピンの一部（例えば１３個、又は必要に応じる他の任意の個数のピン）はＨＤＭＩ信号を伝送するためのもので、他の一部（例えば６個、又は必要に応じる他の任意の個数のピン）は第２の電源電力（例えば５Ｖの直流電源電力）を伝送するためのものとするのが好ましい。さらに、制御信号等の他の必要な信号を伝送するためのピンを有してもよい。
【００８４】
インターフェース部の各端子は必要に応じて、任意の輪郭形状の配列で配置することができる。
【００８５】
インターフェース部は、第１の電源電力（例えば２２０Ｖの電源電力）を伝送するためのライブライン端子及びニュートラルライン端子をさらに有してもよい。
【００８６】
図３ａ〜図３ｄに示す構造は、インターフェース部の構造の例に過ぎず、インターフェース部の構造は実際の必要に応じて設計することができ、第１の電源電力を伝送するための端子、第２の電源電力を伝送するための端子、及びマルチメディア信号を伝送するための端子が集積されているものであればよいことは、当業者には理解されるであろう。
【００８７】
実施例４
図７は、本発明の一実施例によるテレビシステムを示す構成模式図である。図７に示すように、このテレビシステムは、テレビメインボード装置７０１と、テレビ７０３と、電力線７０４と、接続装置７０２とを備える。電力線７０４は、電源からテレビメインボード装置７０１に第１の電源電力を伝送するためにテレビメインボード装置７０１を電源に接続可能であり、接続装置７０２は、テレビメインボード装置７０１からテレビ７０３にマルチメディア信号及び前記第１の電源電力を伝送するとともに、テレビ７０３からテレビメインボード装置７０１に第２の電源電力を伝送するために、テレビメインボード装置７０１をテレビ７０３に接続可能である。
【００８８】
この実施例では、テレビメインボードを独立した装置として、テレビとは別体に配置することにより、テレビから外部接続用ケーブルを多く引き出す必要がなく、またテレビメインボードのメンテナンス及び交換が容易になる。また、この実施例では、テレビ及びメインボードに対してそれぞれ給電配線を行う必要がなく、使用する際に電力線によりテレビメインボード装置を電源に接続し、接続装置によりテレビをテレビメインボード装置に接続すれば、テレビメインボード装置及びテレビへの給電、およびテレビメインボード装置とテレビとの間の信号伝送を実現することができ、システムの複雑性が大幅に削減され、全体の外見が綺麗になるとともに、使用及び取付けが便利になる。
【００８９】
一つの例において、テレビメインボード装置７０１は、実施例１のテレビメインボード装置と類似する構造を有してもよい。
【００９０】
例えば、テレビメインボード装置７０１は、少なくとも１つの開口部を有するケースと、前記ケースに収容され、それぞれ各々の開口部を介してケースから露出する第１のインターフェース及び第２のインターフェースを有するテレビメインボードと、を備え、前記第１のインターフェースは、前記電力線に接続可能であり、前記第２のインターフェースは、前記接続装置に接続可能であるものであってもよい。
【００９１】
前記第２のインターフェースには、第１の電源電力を伝送するための端子、第２の電源電力を伝送するための端子、及びマルチメディア信号を伝送するための端子が集積されていてもよい。例えば、前記第２のインターフェースは、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するするためのものであってもよい。また、前記ＨＤＭＩは１９個より多いピンを有してもよい。さらに、前記第２のインターフェースは、第１の電源電力を伝送するためのライブライン端子及びニュートラルライン端子を有してもよい。
【００９２】
一つの例において、接続装置７０２は、実施例２に示す接続装置と類似する構造を有してもよい。
【００９３】
例えば、前記接続装置は、テレビメインボード装置からテレビに供給されるマルチメディア信号及び第１の電源電力を伝送可能で、かつテレビからテレビメインボード装置に供給される第２の電源電力を伝送可能な接続ケーブルと、前記接続ケーブルの一端に位置し、テレビメインボード装置に接続可能な第１の接続部と、前記接続ケーブルの他端に位置し、テレビに接続可能な第２の接続部とを備えてもよい。
【００９４】
前記第１の接続部及び前記第２の接続部にはそれぞれ、第１の電源電力を伝送するための端子、第２の電源電力を伝送するための端子、及びマルチメディア信号を伝送するための端子が集積されていてもよい。例えば、前記第１の接続部及び前記第２の接続部はそれぞれ、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものであってもよい。前記ＨＤＭＩは１９個より多いピンを有してもよい。さらに、前記第１の接続部及び前記第２の接続部はそれぞれ、第１の電源電力を伝送するためのライブライン端子及びニュートラルライン端子を有してもよい。
【００９５】
一つの例において、テレビ７０３は、実施例３に示すテレビと類似する構造を有してもよい。
【００９６】
例えば、テレビ７０３は、テレビメインボード装置からのマルチメディア信号を受信して再生するとともに、テレビメインボード装置からの第１の電源電力を受けて電源盤に供給するアダプタ装置と、第１の電源電力を第２の電源電力に変換して前記アダプタ装置に供給することにより前記アダプタ装置を介してテレビメインボード装置へ出力して前記テレビメインボード装置に給電し、前記第１の電源電力を第３の電源電力に変換してテレビのバックライトシステムに給電する電源盤と、を備えてもよい。さらに、電源盤は、第１の電源電力を第４の電源電力に変換して前記アダプタ装置に給電してもよい。
【００９７】
テレビは、タイミングコントローラ（Ｔ−ＣＯＮ）をさらに備え、前記アダプタ装置は、マルチメディア信号を前記タイミングコントローラに供給してもよい。
【００９８】
アダプタ装置は、インターフェース部を有し、前記インターフェース部は接続装置に接続可能で、接続装置を介してテレビメインボード装置に接続し、前記インターフェース部には、第１の電源電力を伝送するための端子、第２の電源電力を伝送するための端子、及びマルチメディア信号を伝送するための端子が集積されていてもよい。例えば、インターフェース部は、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものであってもよい。前記ＨＤＭＩは、１９個より多いピンを有してもよい。また、前記インターフェース部は、第１の電源電力を伝送するためのライブライン端子及びニュートラルライン端子を有してもよい。
【００９９】
一つの例において、電力線７０４は、当業者が選択し得る、第１の電源電力（例えば２２０Ｖの交流電源電力）を伝送可能な電力線であってもよい。
【０１００】
適用例
本発明をより良く理解させるために、以下は、１つの例示的な適用場面における本発明の実施例の作動過程を示す。この例は、理解を容易にするためのものに過ぎず、本発明を限定するものではないことは、当業者には理解されるであろう。
【０１０１】
図７に示すテレビシステムを例とする。テレビメインボード装置７０１の第１のインターフェースは、電力線７０４を介して２２０Ｖの交流電源に接続することができる。この電源で供給される２２０Ｖの電源電力（第１の電源電力）は、テレビメインボード装置７０１によって接続装置７０２を介してテレビ７０３に供給することができる。テレビ７０３におけるアダプタ装置は、この２２０Ｖの電源電力を受けて電源盤に供給し、電源盤は、この電源電力の一部をバックライトバーの駆動電圧に変換してバックライトバーを駆動し、この電源電力の他の一部を１２Ｖの直流電力である第４の電源電力に変換してアダプタ装置に給電し、また他のもう一部を５Ｖの直流電力である第２の電源電力に変換し、アダプタ装置は、この第２の電源電力をテレビメインボード装置７０１に供給して給電する。電源を入れたテレビメインボード装置７０１は、変換後のＨＤＭＩ信号を、さらに接続装置７０２を介してテレビ７０３に供給し、電源を入れたアダプタ装置は、このＨＤＭＩ信号をＴ−ＣＯＮなどの他の部に供給してマルチメディア信号を再生することができる。
【０１０２】
以上は、本発明の具体的な実施形態に過ぎず、本発明の権利範囲はこれらに限定されるものではない。当業者が本発明に開示される技術的範囲内で容易に想到できる変形や変更はいずれも、本発明の権利範囲に含まれる。したがって、本発明の権利範囲は、添付の特許請求の範囲によるものである。
【図１ａ】
2019504581.tif 000003
【図１ｂ】
2019504581.tif 000004
【図２】
2019504581.tif 000005
【図３ａ】
2019504581.tif 000006
【図３ｂ】
2019504581.tif 000007
【図３ｃ】
2019504581.tif 000008
【図３ｄ】
2019504581.tif 000009
【図４】
2019504581.tif 000010
【図５】
2019504581.tif 000011
【図６】
2019504581.tif 000012
【図７】
2019504581.tif 000013
【手続補正書】
【提出日】平成30年5月30日(2018.5.30)
【手続補正１】
【補正対象書類名】特許請求の範囲
【補正対象項目名】全文
【補正方法】変更
【補正の内容】
【特許請求の範囲】
【請求項１】
テレビメインボード装置であって、
少なくとも１つの開口部を有するケースと、
前記ケースに収容され、それぞれ各々の開口部を介してケースから露出する第１のインターフェース及び第２のインターフェースを有するテレビメインボードと、を備え、
前記第１のインターフェースは、第１の電源電力を受けるために電源に接続可能であり、
前記第２のインターフェースは、テレビへマルチメディア信号及び前記第１の電源電力を伝送するとともに、テレビから第２の電源電力を受けるために、テレビに接続可能であるテレビメインボード装置。
【請求項２】
前記第２の電源電力は、テレビにより前記第１の電源電力を変換したものであり、前記テレビメインボード装置への給電に用いられる、請求項１に記載のテレビメインボード装置。
【請求項３】
前記第２のインターフェースには、第１の電源電力を伝送するための端子、第２の電源電力を伝送するための端子、及びマルチメディア信号を伝送するための端子が集積されている、請求項１に記載のテレビメインボード装置。
【請求項４】
前記第２のインターフェースは、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものであり、および／または、
前記第２のインターフェースは、第１の電源電力を伝送するためのライブライン端子及びニュートラルライン端子を有する、請求項１に記載のテレビメインボード装置。
【請求項５】
接続装置であって、
テレビメインボード装置からテレビに供給されるマルチメディア信号及び第１の電源電力を伝送可能で、かつテレビからテレビメインボード装置に供給される第２の電源電力を伝送可能な接続ケーブルと、
前記接続ケーブルの一端に位置し、テレビメインボード装置に接続可能な第１の接続部と、
前記接続ケーブルの他端に位置し、テレビに接続可能な第２の接続部と、
を備える接続装置。
【請求項６】
前記第２の電源電力は、テレビにより前記第１の電源電力を変換したものであり、前記テレビメインボード装置への給電に用いられる、請求項５に記載の接続装置。
【請求項７】
前記第１の接続部及び前記第２の接続部にはそれぞれ、第１の電源電力を伝送するための端子、第２の電源電力を伝送するための端子、及びマルチメディア信号を伝送するための端子が集積されている、請求項５に記載の接続装置。
【請求項８】
前記第１の接続部及び前記第２の接続部はそれぞれ、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものであり、および／または、
前記第１の接続部及び前記第２の接続部はそれぞれ、第１の電源電力を伝送するためのライブライン端子及びニュートラルライン端子を有する、請求項５に記載の接続装置。
【請求項９】
テレビであって、
テレビメインボード装置からのマルチメディア信号を受信して再生するとともに、テレビメインボード装置からの第１の電源電力を受けて電源盤に供給するアダプタ装置と、
第１の電源電力を第２の電源電力に変換して前記アダプタ装置に供給することにより前記アダプタ装置を介してテレビメインボード装置へ出力し、前記第１の電源電力を第３の電源電力に変換してテレビのバックライトシステムに給電する電源盤と、
を備えるテレビ。
【請求項１０】
前記電源盤は、第１の電源電力を第４の電源電力に変換して前記アダプタ装置に給電する、請求項９に記載のテレビ。
【請求項１１】
タイミングコントローラ（Ｔ−ＣＯＮ）をさらに備え、
前記アダプタ装置は、マルチメディア信号を前記タイミングコントローラに供給する、請求項９に記載のテレビ。
【請求項１２】
前記アダプタ装置は、インターフェース部を有し、
前記インターフェース部には、第１の電源電力を伝送するための端子、第２の電源電力を伝送するための端子、及びマルチメディア信号を伝送するための端子が集積されている、請求項９に記載のテレビ。
【請求項１３】
前記インターフェース部は、高精細度マルチメディアインターフェース（ＨＤＭＩ）を有し、前記ＨＤＭＩのピンの一部は、高精細度マルチメディア信号を伝送するためのもので、他の一部は、第２の電源電力を伝送するためのものであり、および／または、
前記インターフェース部は、第１の電源電力を伝送するためのライブライン端子及びニュートラルライン端子を有する、請求項１２に記載のテレビ。
【請求項１４】
テレビメインボード装置と、テレビと、１つの電力線と、１つの接続装置とを備えるテレビシステムであって、
電力線は、電源からテレビメインボード装置に第１の電源電力を伝送するためにテレビメインボード装置を電源に接続可能であり、
接続装置は、テレビメインボード装置からテレビにマルチメディア信号及び前記第１の電源電力を伝送するとともに、テレビからテレビメインボード装置に第２の電源電力を伝送するために、テレビメインボード装置をテレビに接続可能であるテレビシステム。
【請求項１５】
前記テレビメインボード装置は、請求項１〜４のいずれか１項に記載のテレビメインボード装置であり、および／または、
前記接続装置は、請求項５〜８のいずれか１項に記載の接続装置であり、および／または、
前記テレビは、請求項９〜１３のいずれか１項に記載のテレビである、請求項１４に記載のテレビシステム。
【国際調査報告】
2019504581.tif 000014
2019504581.tif 000015
2019504581.tif 000016
2019504581.tif 000017
2019504581.tif 000018
2019504581.tif 000019